Podtech/llm-jp-corpus-v4-ja_patent huggingface dataset:
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
自動胸部圧迫デバイスであって、
支持構造（１１）と、
モーター（１３）、ならびに遠位端および近位端を有するプランジャ（１４）を含み、前記プランジャ（１４）の前記近位端は前記モーター（１３）に動作可能に連結され、前記プランジャ（１４）の前記遠位端はハウジングから伸縮し、前記支持構造（１１）に固着され、患者と係合し胸部圧迫を実施するように機能する、胸部圧迫ユニット（１２）と、
遠位端および近位端を有し、前記近位端は前記プランジャ（１４）と係合し、前記遠位端には２個以上の吸着カップ（１９）が形成されている、圧迫パッド（１７）と
を備える、自動胸部圧迫デバイス。
【請求項２】
前記圧迫パッドの前記遠位端には、１０個以上の吸着カップ（１９）が形成されている、請求項１記載の自動胸部圧迫デバイス。
【請求項３】
前記２個以上の吸着カップは少なくとも２種の異なる大きさである、請求項１記載の自動胸部圧迫デバイス。
【請求項４】
前記２個以上の吸着カップは少なくとも２種の異なる形状を有する、請求項１記載の自動胸部圧迫デバイス。
【請求項５】
前記プランジャの前記遠位端に固着されるプランジャアダプタを備え、
前記圧迫パッドの前記近位端は、前記プランジャアダプタと取り外し可能に係合する、請求項１記載の自動胸部圧迫デバイス。
【請求項６】
前記プランジャアダプタおよび前記圧迫パッドは、相補的な凹形要素および凸形要素を含んで、前記プランジャアダプタと前記圧迫パッドは取り外し可能に係合している、請求項５記載の自動胸部圧迫デバイス。
【請求項７】
前記プランジャアダプタは、
近位端および遠位端を有する略円筒形のプランジャアダプタであって、前記近位端は前記プランジャの前記遠位端と取り外し可能に係合し、前記プランジャアダプタの前記遠位端は前記圧迫パッドと係合する切頭円錐形ソケットを有し、
前記圧迫パッドはさらに、前記プランジャの前記切頭円錐形ソケットと取り外し可能に係合する切頭円錐形伸長部を備える、請求項５記載の自動胸部圧迫デバイス。
【請求項８】
前記プランジャアダプタは、
近位端および遠位端を有する略円筒形のプランジャアダプタであって、前記近位端は前記プランジャの前記遠位端と取り外し可能に係合し、前記プランジャアダプタの前記遠位端は前記圧迫パッドと係合する切頭円錐形ソケットを有し、
前記圧迫パッドはさらに、前記プランジャアダプタの前記遠位端と取り外し可能に係合する切頭円錐形の伸長部を備え、前記遠位端は内部に形成された２以上の吸着カップを備える、請求項５記載の自動胸部圧迫デバイス。
【請求項９】
前記プランジャアダプタおよび前記圧迫パッドは、さらに、
前記プランジャアダプタに固着される磁石、および
前記プランジャアダプタ側磁石との間に所定の保持力を生成するために前記圧迫パッドに固着される磁石を備える請求項５記載の自動胸部圧迫デバイス。
【請求項１０】
前記プランジャアダプタと前記圧迫パッドの間に所定の保持力を生成するための、前記プランジャアダプタと前記圧迫パッドの間に固着される粘着層を備える請求項５記載の自動胸部圧迫デバイス。
【請求項１１】
前記プランジャアダプタおよび前記圧迫パッドは、さらに、
前記プランジャアダプタに固着される電磁石、および
前記プランジャアダプタ側電磁石との間に所定の保持力を生成するために前記圧迫パッドに固着される磁石を備える、請求項５記載の自動胸部圧迫デバイス。
【請求項１２】
前記圧迫パッドはさらに、
前記圧迫パッドの中心部から伸長する複数の葉部（１０１，１０７Ａ，１０７Ｂ）であって、各葉部に複数の吸着カップ（９４）が配置されている、葉部（１０１，１０７Ａ，１０７Ｂ）を備える請求項１記載の自動胸部圧迫デバイス。
【請求項１３】
さらに、
前記プランジャと前記圧迫パッド（１００，１０６）の間に配置される剛性パッド（１０３，１０８）を備える請求項１２記載の自動胸部圧迫デバイス。
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
吸引制御装置において、
遠位端部および近位端部を有し、かつ導管ルーメンを規定する導管であって、前記導管ルーメンに開口する通気孔を規定する導管と、
前記導管の前記近位端部を真空源および内側カニューレに結合するように構成された継手であって、真空が、前記導管ルーメンおよび前記内側カニューレのそれぞれに供給されるようにする、継手と、
前記導管の周りで可動に配置されたスリーブと、
前記スリーブと連通し、かつユーザーインターフェースからの入力信号に応答して、前記通気孔に対して前記スリーブを動かすように構成された装置モータと
を含むことを特徴とする、吸引制御装置。
【請求項２】
請求項１に記載の吸引制御装置において、前記スリーブが、前記通気孔の少なくとも一部分を露出させて、前記内側カニューレに送達される前記真空のレベルを低下させるように構成されていることを特徴とする、吸引制御装置。
【請求項３】
請求項１または２に記載の吸引制御装置において、さらに、前記ユーザーインターフェースおよび前記モータと通信する制御部を含み、前記制御部は、前記ユーザーインターフェースからの前記入力信号を受信するように構成されていることを特徴とする、吸引制御装置。
【請求項４】
請求項３に記載の吸引制御装置において、前記ユーザーインターフェースが足踏みペダルであり、前記足踏みペダルを押し下げることによって、前記スリーブの予め規定された位置に対応する入力信号を生成することを特徴とする、吸引制御装置。
【請求項５】
請求項４に記載の吸引制御装置において、前記スリーブの前記予め規定された位置が、前記内側カニューレに供給される、予め規定されたレベルの真空に対応することを特徴とする、吸引制御装置。
【請求項６】
請求項１乃至５の何れか一項に記載の吸引制御装置において、前記スリーブが、スリーブ本体と、前記スリーブ本体の遠位端部から延在するスリーブ先端部とを有し、前記先端部が、前記通気孔の少なくとも一部分を覆うように構成され、前記内側カニューレに送達される所望のレベルの真空が、前記継手において供給される前記真空の一部分であることを特徴とする、吸引制御装置。
【請求項７】
請求項６に記載の吸引制御装置において、前記スリーブ先端部が、予め規定された位置に動かされる前記スリーブに応答して、前記通気孔の少なくとも一部分を覆うことを特徴とする、吸引制御装置。
【請求項８】
請求項６または７に記載の吸引制御装置において、前記スリーブが、前記入力信号に応答して、前記導管に沿って長手方向に動くように構成され、前記動きによって、前記スリーブ先端部を、前記通気孔に対して予め規定された位置に配置することを特徴とする、吸引制御装置。
【請求項９】
請求項６乃至８の何れか一項に記載の吸引制御装置において、前記スリーブが、前記入力信号に応答して、前記導管の周りで回転するように構成され、前記回転によって、前記スリーブ先端部を、前記通気孔に対して前記予め規定された位置に配置することを特徴とする、吸引制御装置。
【請求項１０】
請求項１乃至９の何れか一項に記載の吸引制御装置において、前記スリーブが、前記継手と前記導管の前記遠位端部との間で、前記導管の周りに配置されることを特徴とする、吸引制御装置。
【請求項１１】
神経外科装置のための吸引を制御する方法において、
吸引制御装置を提供するステップであって、この吸引制御装置が：
導管ルーメンと、前記導管ルーメンに開口した通気孔とを規定する導管、
前記導管の一方の端部を真空源および内側カニューレに結合して、前記導管ルーメンおよび前記内側カニューレの各々に真空が供給されるようにするように構成されている継手、
前記導管の周りで可動に配置されたスリーブ、
前記スリーブと通信するモータ装置
を有するステップと、
前記モータにユーザーインターフェースからの信号を提供するステップと、
前記信号に応答して、前記モータ装置によって前記通気孔に対して前記スリーブを動かすステップと
を含むことを特徴とする、方法。
【請求項１２】
請求項１１に記載の方法において、前記スリーブが、スリーブ本体と、前記スリーブ本体の遠位端部から延在するスリーブ先端部とを有し、前記先端部は、前記通気孔の少なくとも一部分を覆うように構成されており、前記内側カニューレに送達される所望のレベルの真空が、前記継手において供給される前記真空の一部分であることを特徴とする、方法。
【請求項１３】
請求項１１または１２に記載の方法において、さらに、前記スリーブを前記導管に沿って長手方向に動かし、前記スリーブ先端部を、前記通気孔に対して予め規定された位置に配置するステップを含むことを特徴とする、方法。
【請求項１４】
請求項１１乃至１３の何れか一項に記載の方法において、さらに、前記スリーブを前記導管の周りで回転させて、前記スリーブ先端部を、前記通気孔に対して予め規定された位置に配置するステップを含むことを特徴とする、方法。
【請求項１５】
請求項１１乃至１４の何れか一項に記載の方法において、予め規定された位置が、前記内側カニューレルーメンに供給されるべき、予め規定されたレベルの真空に対応することを特徴とする、方法。
【請求項１６】
請求項１５に記載の方法において、前記スリーブの前記予め規定された位置が、前記足踏みペダルの押し下げ位置に対応することを特徴とする、方法。
【請求項１７】
請求項１１乃至１６の何れか一項に記載の方法において、さらに、
前記ユーザーインターフェースからの前記信号を、前記通気孔に対する前記スリーブの予め規定された位置に対応させるステップ
を含むことを特徴とする、方法。
【請求項１８】
請求項１１乃至１７の何れか一項に記載の方法において、前記信号が、前記モータと電気的接続している足踏みペダルから提供されることを特徴とする、方法。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
患者の最も近くで所望の温度の加湿空気を生成して前記患者に伝達するための加湿呼吸装置であって、
空気流路と、
加湿呼吸装置の操作を制御するためのコントローラを備え、
前記コントローラは、前記患者の呼気温度および流量に基づいて前記患者の最も近くで前記所望の伝達温度を達成するため、前記流路のポイントにおいて温度を制御するように加湿呼吸装置を操作するよう構成される、加湿呼吸装置。
【請求項２】
前記流路の一部を形成する患者インターフェースと結合された導管をさらに備える、請求項１に記載の加湿呼吸装置。
【請求項３】
前記コントローラが温度を制御するよう構成される前記流路の前記ポイントは、前記導管の終端部の前記患者インターフェースまたはその近くである、請求項２に記載の加湿呼吸装置。
【請求項４】
前記患者インターフェースはマスクであり、前記加湿器は、患者の呼気温度および流量から計算される目標温度を達成するため、前記流路の前記ポイントにおいて前記温度を制御し、目標温度、患者の呼気温度および流量間の関係は、前記マスクへの熱流量と前記マスクからの熱流量とのバランスに基づく、請求項２または３に記載の加湿呼吸装置。
【請求項５】
前記熱流量バランスは、
【数１】
2015533560.tif 000001
であり、式中、
熱流出量は、バイアス孔を通じて流出した空気ＪBによって運ばれる熱エネルギー（マスク温度および平均流量の関数）と、前記マスク表面を通じて大気中に失われた熱（マスク温度、周囲温度および前記マスクを通じる熱損失係数の関数）とを含み、
熱流入量は、ＣＰＡＰ流量によって運ばれる熱エネルギー（例えば、平均流量、ピーク流量およびＣＰＡＰ伝達温度の関数）と、患者によって運ばれ、前記マスクに流入する熱エネルギー（例えば、患者の呼気温度、ＣＰＡＰ伝達温度および患者のピーク流量の関数）とを含む、請求項４に記載の加湿呼吸装置。
【請求項６】
前記関係は、
ＥＯＨ＿Ｔ＝ｆ（Ａ，ＪB，Ｍt，ＴP，ＴA）  （１１）
によって定義され、式中、
ＴPは、前記患者（呼気）によって前記マスクに提供された前記温度であり、
Ａは、前記患者の前記ピーク流量であり、
ＪBは、前記平均流量（バイアス流量＋漏れ流量）であり、
ＴAは、例えば、センサによって測定された周囲温度であり、
Ｍtは、前記所望のマスク温度であり、
ＥＯＨ＿Ｔは、前記ホースの終端部の温度である、請求項４または５に記載の加湿呼吸装置。
【請求項７】
前記関係は、
【数２】
2015533560.tif 000002
によって定義され、式中、
【数３】
2015533560.tif 000003
であり、
ｋeffは、前記マスクを通じる有効熱伝導係数であり、
Ｓは、前記マスクの表面積であり、
Ｃpおよびρは、一定（平均）処理圧力での空気比熱および（平均）密度を指し、
Ａは、前記患者のピーク流量であり、
ＪBは、前記平均流量であり、
Ｐａｔｉｅｎｔ＿ＴおよびＰａｔｉｅｎｔ＿ＡＨは、前記患者によって吐き出された前記空気の前記温度および湿度である、請求項４〜６のいずれか１項に記載の加湿呼吸装置。
【請求項８】
前記コントローラが温度を制御するよう構成される前記流路の前記ポイントは、前記加湿器出口またはその近くである、請求項２に記載の加湿呼吸装置。
【請求項９】
前記流量を検知するための流量センサを備える、請求項１〜８のいずれか一項に記載の加湿呼吸装置。
【請求項１０】
前記流量は、
平均流速、
ピーク流速、
１回換気量
のうちの１つまたは複数である、流量の１つまたは複数の特性を含む、請求項１〜９のいずれか一項に記載の加湿呼吸装置。
【請求項１１】
患者の呼気温度は、
既定値、
センサを使用して検知された値、
ＢＭＩ、身長、体重、人体容積もしくは他の任意の適切な患者の生理的特性のうちの１つもしくは複数から計算された値
のうちの１つまたは複数である、請求項１〜１０のいずれか一項に記載の加湿呼吸装置。
【請求項１２】
前記コントローラは、前記伝達される加湿空気を加熱するため、前記導管のヒータへの通電を制御することによって、またはその代替として、ヒータプレート装置に通電することによって、温度を制御するように前記加湿器を操作するよう構成される、請求項１〜１１のいずれか一項に記載の加湿呼吸装置。
【請求項１３】
前記コントローラは、入力空気温度に基づいて温度を制御するように前記加湿器を操作するようさらに構成され、任意選択により、前記入力空気温度は、大気温度または既定値である、請求項１〜１２のいずれか一項に記載の加湿呼吸装置。
【請求項１４】
前記コントローラは、マスク情報に基づいて湿度を制御するように前記加湿呼吸装置を操作するようさらに構成され、任意選択により、前記マスク情報は、
マスクの内部容積、
マスクの表面積、
マスクの材料
のうちの１つまたは複数である、請求項１〜１３のいずれか一項に記載の加湿呼吸装置。
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
主要マットレス、及び前記主要マットレスに取り付けられる補助マットレス（１）を備えるマットレスアセンブリであって、前記補助マットレス（１）は、２つの横方向延伸部（２）及び踏み台延伸部（３）を有する本体を備え、前記補助マットレス（１）の周囲に沿って提供される管状構造体（５）と協働して、９０度回転する場合に、前記本体に対して完全に水平な延伸表面を形成し、又は１８０度回転する場合に、前記本体に対して垂直な延伸表面を形成する、マットレスアセンブリ。
【請求項２】
前記補助マットレス（１）はさらに、前記管状構造体（５）と一緒に、最大で９０度までの種々の仰角において回転することができるヘッドボード延伸部（１７）を備える、請求項１に記載のマットレスアセンブリ。
【請求項３】
前記管状構造体（５）は、前記ヘッドボード延伸部（１７）と前記横方向延伸部（２）との間の接続角部において、２つのヒンジ（１８）を有する、請求項２に記載のマットレスアセンブリ。
【請求項４】
前記管状構造体（５）は、前記横方向延伸部（２）の組立てのための２つの長いセクション（６）と、３つの中央セクション（７）であって、１つは前記ヘッドボード延伸部（１７）の組立て用で、２つは前記踏み台延伸部（３）の組立て用で、前記踏み台延伸部（３）を前記本体に接続することを企図する、３つの中央セクション（７）と、前記横方向延伸部（２）及び前記踏み台延伸部（３）の接続によって本体とともに形成される角部を組立てることを企図する８つの短いセクション（８）と、を備え、全ての前記セクションは、前記本体と、前記横方向延伸部（２）及び前記踏み台延伸部（３）との間の接続角部において位置決めされる、９０度及び１８０度を通して回転可能な４つのヒンジと８つのベンド（９）とによって互いに取り付けられる、請求項２又は３に記載のマットレスアセンブリ。
【請求項５】
前記補助マットレス（１）は、前記補助マットレス（１）を前記主要マットレスに結合させるために、前記補助マットレス（１）の裏の両方の側部において位置決めされる、クランプ又はガース（１１）を含む、請求項１から４のいずれか一項に記載のマットレスアセンブリ。
【請求項６】
各々の横方向延伸部（２）は、少なくとも２つの管セクションによって、前記主要マットレスの幅寸法と等しい互いからの分離距離を保ちつつ互いに面する、硬い布張りしたベッドベース（２ａ）を備え、前記少なくとも２つの管セクションは、繊維で裏打ちされ、Ｌ形状の調整管を結合することを企図し、各々の側部に位置決めされ、かつ対向する位置にあり、前記硬い布張りしたベッドベース（２ａ）の端部において位置決めされるその自由端においてヒンジが提供される、請求項１から５のいずれか一項に記載のマットレスアセンブリ。
【請求項７】
前記踏み台延伸部（３）は、前記横方向延伸部（２）の前記硬い布張りしたベッドベース（２ａ）よりも短い、硬い布張りしたベッドベース（３ａ）を備え、その内側表面に少なくとも２つのヒンジ（１２）を有し、各々の端部において１つずつ配置され、その対応するＬ形状の調整管に結合され、その１つの自由端において前記横方向延伸部（２）の構造上の管と結合するためのクランプ（１３）が提供される、請求項６に記載のマットレスアセンブリ。
【請求項８】
前記横方向延伸部（２）の２つの前記硬い布張りしたベッドベース（２ａ）、及び前記踏み台延伸部（３）の前記硬い布張りしたベッドベース（３ａ）は、それらの上端においてそれらの長さ全体にパッディング補強材（１４）が提供される、請求項７に記載のマットレスアセンブリ。
【請求項９】
前記横方向延伸部（２）の両方の前記硬い布張りしたベッドベース（２ａ）、及び前記踏み台延伸部（３）の前記硬い布張りしたベッドベース（３ａ）は、ねじが切られた挿入部材（１５）を介して高さを調節することができる、請求項７又は８に記載のマットレスアセンブリ。
【請求項１０】
前記横方向延伸部（２）の前記ベッドベース（２ａ）は、その裏の端部において少なくとも２つのヒンジが提供され、各々の端部において１つずつを位置決めし、その中央部分において結合しているヒンジ結合部（１６）が提供される、請求項６に記載のマットレスアセンブリ。
【請求項１１】
前記結合しているヒンジ結合部（１６）は、手動又は遠隔制御される電子モーターによって、上げる及び／又は下げるために作動されるように適合される、請求項１０に記載のマットレスアセンブリ。
【請求項１２】
周囲に沿って弾性要素（２１）と、横方向延伸部（２３）が提供される本体（２２）とを備えるボックスシーツ（２０）であって、前記ボックスシーツ（２０）の端部は、９０度の角度を形成する切欠き部（２４）によって構成され、いくつかの繊維セクション（２５）が、前記本体（２２）と前記横方向延伸部（２３）との間の接続において提供され、それらの自由端において留め手段（２６）が提供される、ボックスシーツ（２０）をさらに備える、請求項１から１１のいずれか一項に記載のマットレスアセンブリ。
【請求項１３】
前記マットレスアセンブリの前記横方向延伸部（２）は、最大９０度まで、種々の固定された位置における仰角を通して可動な、ヒンジされたベースに適合可能な個別の領域（２ｂ）を備える、請求項１に記載のマットレスアセンブリ。
【請求項１４】
前記横方向延伸部（２）は、前記補助マットレス（１）の前記個別の領域（２ｂ）と一致する、いくつかの個別のヒンジされた領域（５ｃ）を備え、前記いくつかの個別のヒンジ領域（５ｃ）は、対応するヒンジを介して互いに分離され、前記対応するヒンジは、前記補助マットレスの厚さと等しい線形な傾きに隣接するヒンジに対して取り付けられるように位置決めされる、請求項１３に記載のマットレスアセンブリ。
【請求項１５】
前記横方向延伸部（２；２ｂ）、前記踏み台延伸部（３、３ａ）、前記ヘッドボード延伸部（１７）、及び前記管状構造体（５）のうちの少なくとも１つを駆動するための、自動駆動システムをさらに備える、請求項１から１４のいずれか一項に記載のマットレスアセンブリ。
【請求項１６】
前記管状構造体（５）は、硬い管セクションから作られる、請求項１から１５のいずれか一項に記載のマットレスアセンブリ。
【請求項１７】
前記横方向延伸部（２、２ａ）及び前記踏み台延伸部（３、３ａ）のうちの少なくとも１つは、固定されて不動である、請求項１から１６のいずれか一項に記載のマットレスアセンブリ。
【請求項１８】
適切な位置において、前記管状構造体（５）の部分を保持するために適合される、付加的な補強構造体をさらに備える、請求項１から１７のいずれか一項に記載のマットレスアセンブリ。
【請求項１９】
ヘッドボード延伸部（１７）は、種々の固定された位置における仰角を通して可動な、個別のヒンジされた領域を備える、請求項２から１８のいずれか一項に記載のマットレスアセンブリ。
【請求項２０】
前記管状構造体（５）は、前記補助マットレス（１）の前記周囲に沿って固定されるように提供される、請求項１から１９のいずれか一項に記載のマットレスアセンブリ。
【請求項２１】
前記管状構造体（５）には、高速開閉手段（４）が提供される、請求項１から２０のいずれか一項に記載のマットレスアセンブリ。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
液体の充てん物を保管及び輸送するパレットコンテナであって、
ベースパレットであって、電荷を導出するように構成されており、薄板である金属板を含む前記パレット上面デッキと、４つの隅脚部、前記隅脚部間に配置される４つの中間脚部及び前記ベースパレットの床側で周囲を取り巻くように水平に延びる鋼管ベースリングを有するパレット下部構造とを有し、前記パレット下部構造は、上側の管フレームであって、４つの個別の同一長さの管体を有し、対角方向で前記金属板の直ぐ下側を延びる上側の管フレームを有し、それぞれの前記管体が有する端部は、直角に屈曲されて、端部区間を規定し、前記端部区間は、隣り合う２つの前記中間脚部の凹部に差し込まれ、前記金属板を張設すべく、前記金属板の下側に菱形の支持フレームが形成されている、ベースパレットと、
前記パレット上面デッキに上に配置される、充てん物を収容する交換可能な薄壁の内容器であって、熱可塑性のプラスチックからなる内容器と、
支持外装として前記内容器を緊密に包囲する管格子フレームであって、互いに溶接される鉛直方向及び水平方向の複数の管棒からなり、前記ベースパレットの上部外縁に固定されている管格子フレームと、
前記管フレームの前記管体を前記ベースリングに導電接続するように構成されている複数の固定ねじと、
を備えることを特徴とするパレットコンテナ。
【請求項２】
前記ベースパレットは、長方形の構成を有する、請求項１記載のパレットコンテナ。
【請求項３】
前記隅脚部及び前記中間脚部は、熱可塑性のプラスチックからなる、請求項１記載のパレットコンテナ。
【請求項４】
前記鋼管ベースリングは、長方形の構成を有する、請求項１記載のパレットコンテナ。
【請求項５】
前記固定ねじは、４つの前記管体のそれぞれの前記端部区間を前記ベースリングに接続し、金属よりなり、８重の電気接続を提供する、請求項１記載のパレットコンテナ。
【請求項６】
４つの前記管体の前記端部区間は、前記管体の端部の僅かに内側に星形に側方より凹設されて、減径された管横断面を形成しており、該減径された管横断面に、前記管体を前記ベースリングに接続する固定ねじのための雌ねじ山が刻設されている、請求項１記載のパレットコンテナ。
【請求項７】
前記中間脚部の前記凹部は、ベース管の僅かに内側で終端しており、終端部に、前記端部区間の下向きに開いた端部を受容する円錐形の管センタリング部が形成されており、該管センタリング部は、前記固定ねじを差し通すそれぞれ１つの中央の孔を有する、請求項１記載のパレットコンテナ。
【請求項８】
前記円錐形の管センタリング部に設けられた前記中央の孔は、下から上に円錐形の先端に向かって直径が軽微に減径するように形成されており、円錐形の先端に臨む領域の直径は、前記固定ねじの直径より僅かに小さく形成されている、請求項７記載のパレットコンテナ。
【請求項９】
前記ベースリングは、前記中間脚部の各々がある場所に、前記管体の端部区間に螺入される前記固定ねじを差し通す２つの対応する穴を有し、前記ベースリングは、該ベースリングの下面において前記穴の周りにそれぞれ１つの円錐形の窪みを、前記固定ねじのねじ頭が面一に沈頭されているように有する、請求項１記載のパレットコンテナ。
【請求項１０】
前記固定ねじは、それぞれ丸皿頭ねじ又は皿頭ねじである、請求項９記載のパレットコンテナ。
【請求項１１】
前記ベースリングは、該ベースリングの両管端部が互いに結合されている結合領域を有し、該結合領域は、前記隅脚部の下側の、低い曲げ荷重を受ける箇所に配置されている、請求項１記載のパレットコンテナ。
【請求項１２】
前記パレット下部構造の前記管フレームは、互いに平行に緊密に並んで延びる２つの別の横方向管を含み、該横方向管の端部は、それぞれ、前記ベースパレットのパレット長辺に設けられた２つの前記中間脚部に支承され、固定されている、請求項２記載のパレットコンテナ。
【請求項１３】
前記横方向管の端部は、前記中間脚部に設けられた支承部の領域で二重壁の半管として形成されており、組み立て状態で形状結合式及び力結合式に、前記管格子フレームが前記ベースパレットに固く螺止されているときに前記半管の上方を横切るように延びる管格子フレームにより固定されている、請求項２記載のパレットコンテナ。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ミトコンドリア病若しくは障害、ミトコンドリア欠損症、薬物誘導ミトコンドリア副作用又は環境誘導ミトコンドリア作用の治療又は予防に使用するか、又はミトコンドリア機能の修復、回復若しくは維持に使用するための、α-1-ミクログロブリンを含む医薬組成物。
【請求項２】
ミトコンドリア関連疾患又は障害が、以下のリスト：
・アルパース病(乳児進行性灰白異栄養症)
・バース症候群(乳児致死性心筋症)
・β酸化欠損症
・心筋症
・カルニチン-アシル-カルニチン欠乏症
・カルニチン欠乏症
・クレアチン欠乏症候群(脳クレアチン欠乏症候群(CCDS)にはグアニジノアセテートメチルトランスフェラーゼ欠乏症(GAMT欠乏症)、L-アルギニン:グリシンアミジノトランスフェラーゼ欠乏症(AGAT欠乏症)及びSLC6A8関連クレアチン輸送体欠乏症(SLC6A8欠乏症)が含まれる)
・補酵素Q10欠乏症
・呼吸鎖複合体Ｉ欠乏症(NADHデヒドロゲナーゼ(NADH-CoQレダクターゼ)欠乏症)
・呼吸鎖複合体II欠乏症(スクシネートデヒドロゲナーゼ欠乏症)
・呼吸鎖複合体III欠乏症(ユビキノン-シトクロムｃオキシドレダクターゼ欠乏症)
・呼吸鎖複合体IV欠乏症/COX欠乏症(シトクロムｃオキシダーゼ欠乏症は呼吸鎖複合体IVの欠損により引き起こされる)
・呼吸鎖複合体Ｖ欠乏症(ATPシンターゼ欠乏症)
・COX欠乏症
・CPEO(慢性進行性外眼筋麻痺症候群)
・CPT I欠乏症
・CPT II欠乏症
・フリートライヒ運動失調(FRDA又はFA)
・脳筋症
・グルタル酸尿症II型
・KSS(カーンズ・セイアー症候群)
・乳酸アシドーシス
・LCAD(長鎖アシル-CoAデヒドロゲナーゼ欠乏症)
・LCHAD
・リー病又は症候群(亜急性壊死性脳脊髄症)
・LHON(レーバー遺伝性視神経萎縮)
・ルフト病
・MCAD(中鎖アシル-CoAデヒドロゲナーゼ欠乏症)
・MELAS(ミトコンドリア脳筋症・乳酸アシドーシス・脳卒中様エピソード)
・MERRF(ミオクローヌスてんかん・赤色ぼろ線維症候群)
・MIRAS(ミトコンドリア劣性運動失調症候群)
・ミトコンドリア細胞障害
・ミトコンドリアDNA涸渇
・ミトコンドリア脳症(脳筋症、脳脊髄障害を含む)
・ミトコンドリアミオパシー
・MNGIE(ミトコンドリア神経胃腸脳筋障害)
・NARP(ニューロパシー・運動失調・網膜色素変性症)
・ピアソン症候群
・ピルベートカルボキシラーゼ欠乏症
・ピルベートデヒドロゲナーゼ欠乏症
・POLG変異
・呼吸鎖欠損症
・SCAD(短鎖アシル-CoAデヒドロゲナーゼ欠乏症)
・SCHAD
・VLCAD(超長鎖アシル-CoAデヒドロゲナーゼ欠乏症)
からの１以上の疾患又は障害である、請求項１に記載の医薬組成物。
【請求項３】
呼吸鎖障害の治療又は予防に使用するための、請求項１又は２に記載の医薬組成物。
【請求項４】
呼吸鎖障害が呼吸鎖複合体Ｉ、II、III、IV又はＶ欠損が関与するものである請求項３に記載の医薬組成物。
【請求項５】
小児又は若年成人のミトコンドリア機能不全の治療又は予防に使用するための、請求項１〜４のいずれか１項に記載の医薬組成物。
【請求項６】
アルパース病、バース症候群、フリートライヒ運動失調、KSS、リー病若しくは症候群、LHON、MELAS、MERRF、MIRAS又はNARPの治療又は予防に使用するための、請求項１〜５のいずれか１項に記載の医薬組成物。
【請求項７】
女性のミトコンドリア機能不全の治療又は予防に使用するための、請求項１〜６のいずれか１項に記載の医薬組成物。
【請求項８】
ミトコンドリア欠損又は機能不全に関連する網膜損傷若しくは機能不全又は眼疾患の治療又は予防に使用するための、請求項１〜７のいずれか１項に記載の医薬組成物。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
融液から結晶シートを形成する装置であって、
前記融液を収容するるつぼと、
前記融液の表面近傍に冷却領域を提供するよう構成されたコールドブロックであって、前記冷却領域は前記結晶シートの結晶フロントを生成するよう作動するコールドブロックと、
前記融液の前記表面に沿う、引張り方向に前記結晶シートを引き出すよう構成された結晶引張り器と、を備え、
前記引張り方向に対する垂線が、前記結晶フロントに対して９０°未満で、０°より大きい角度を成すようにした、結晶シート形成装置。
【請求項２】
前記コールドブロックのアセンブリは、前記結晶フロントの第２の幅に等しい前記冷却領域で第１の幅の結晶シートを生成するよう構成された細長形状を備える、請求項１に記載の装置。
【請求項３】
前記コールドブロックは、第１と第２の位置との間を移動するよう作動し、前記第１の位置の方が前記融液の表面に近く、前記コールドブロックが前記第１の位置に配置された場合の前記結晶シートの第１の成長速度の方が、前記コールドブロックが前記第２の位置に配置された場合の第２の成長速度より速い、請求項１に記載の装置。
【請求項４】
前記結晶フロントは第１の結晶フロントであり、
前記コールドブロックは、
前記融液の前記表面に平行な平面に、第１の部分と該第１の部分に接続された第２の部分とを含むＶ字形状の構造を備え、
前記第１の部分は、前記垂線に対して第１の角度で前記第１の結晶フロントを生成するよう構成され、
前記第２の部分は、前記垂線に対して前記第１の角度と等しい大きさの第２の角度で、第２の結晶フロントを生成するよう構成されている、請求項１に記載の装置。
【請求項５】
前記第１の結晶フロントに平行な、前記第１の部分の第３の幅は、前記第２の結晶フロントに平行な、前記第２の部分の第４の幅に等しい、請求項４に記載の装置。
【請求項６】
前記装置から引っ張られる前記結晶シートは、前記垂線に沿って、前記結晶シートから形成される基板の意図した基板幅の２倍以上の第５の幅を有する、請求項５に記載の装置。
【請求項７】
前記融液近傍の前記第１の部分の第１の下面は、前記融液近傍の前記第２の部分の第２の下面と同一平面にある、請求項５に記載の装置。
【請求項８】
前記コールドブロックは、該コールドブロックの温度を、前記融液の溶融温度以下に維持するための内部流体を含む、請求項１に記載の装置。
【請求項９】
融液から結晶シートを形成する方法であって、
前記融液を形成するために、るつぼ内の材料を加熱するステップと、
前記融液の表面から第１の距離のところにコールドブロックの冷却領域を提供するステップであって、前記冷却領域は前記結晶シートの結晶フロントを生成するよう作動するステップと、
前記融液の前記表面に沿って引張り方向に前記結晶シートを引っ張るステップと、
を含み、
前記引張り方向に対する垂線が、前記結晶フロントに対して０°より大きく９０°未満の角度を成すようにした、結晶シート形成方法。
【請求項１０】
前記コールドブロックの冷却領域は、前記結晶フロントの第２の幅に等しい第１の幅を有する細長形状として提供される、請求項９に記載の方法。
【請求項１１】
前記結晶フロントは、第１の結晶フロントであって、
前記方法はさらに、
前記コールドブロックを前記融液の前記表面に平行な平面内にＶ字形状の構成で、第１の部分及び該第１の部分に接続される第２の部分として配置するステップと、
前記垂線に対して第１の角度で前記第１の部分を用いて前記第１の結晶フロントを生成するステップと、
前記垂線に対して第２の角度で前記第２の部分を用いて前記第２の結晶フロントを生成するステップと、
を含み、
前記第２の角度は前記垂線に対して前記第１の角度の大きさと同一の大きさを有する、請求項９に記載の方法。
【請求項１２】
前記第１の結晶フロントに平行な前記第１の部分の第３の幅を、前記第２の結晶フロントに平行な第２の部分の第４の幅に等しく設定するステップをさらに含む、請求項１１に記載の方法。
【請求項１３】
前記結晶シートから産出する基板の基板幅を決定するステップと、
前記Ｖ字形状の構成が前記垂線に沿って、前記基板幅の２倍より大きい値に等しい第５の幅を有するよう配置するステップと、をさらに含む、請求項１２に記載の方法。
【請求項１４】
前記融液近傍の前記第１の部分の第１の下面が、前記融液近傍の前記第２の部分の第２の下面と同一平面となるよう配置するステップをさらに含む、請求項１１に記載の方法。
【請求項１５】
前記コールドブロックを、前記融液表面から前記第１の距離よりも大きい第２の距離に移動させるステップをさらに含み、前記結晶フロントは、前記コールドブロックが前記第２の距離に移動した際に終端する、請求項９に記載の方法。
【手続補正２】
【補正対象書類名】明細書
【補正対象項目名】発明の名称
【補正方法】変更
【補正の内容】
【発明の名称】融液からの結晶シート用装置及び方法
【手続補正３】
【補正対象書類名】明細書
【補正対象項目名】００１８
【補正方法】変更
【補正の内容】
【００１８】
公知技術と同様に、結晶引張り器２２０は、例えば、図２に示されるデカルト座標系のＸ軸に平行な所定の方向に沿って前後に引き出される（単独では示されていない）結晶種を含むことができる。そして、沈殿層が結晶種に付着すると、結晶シート２０２は融液１０４から引き出すことができる。図２に例示されるように、結晶引張り器２２０が結晶材料の層を、Ｘ軸に平行な引張り方向２０８に沿って引っ張ると、結晶シート２０２は、コールドブロック２０６の下面近傍の融液１０４の領域から引き出される。所望の量の結晶シート２０２が生成されるまで、結晶材料の層は結晶シート２０２として引き出すことができる。その後、コールドブロック２０６は、融液１０４の表面２１２からさらに離れたところに、表面２１２から方向２１４に沿って離すことができる。このさらに離れたところでは、コールドブロック２０６は、もはや融液１０４を結晶化させるのに十分なほどに表面２１２を冷却しなくなり、つまり、Ｖｇは、結晶シート２０２の継続的な引張りを維持するのには不十分な値にまで低減する。そして、結晶フロント２１０は、コールドブロック２０６の下で終端し、結晶シート２０２はもはや成長しなくなる。
【手続補正４】
【補正対象書類名】図面
【補正対象項目名】図２
【補正方法】変更
【補正の内容】
【図２】
2015533771.tif 000001
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
ベータスポジュメンガラスセラミックシートを形成する方法において、
フュージョンドロー法により、感光性組成物から形成されたクラッド層および非感光性ガラス組成物から形成されたコア層を有する積層ガラスシートを形成する工程、および
前記積層ガラスシートを、前記感光性組成物内で核生成が行われるのに十分に紫外線に曝露し、それによって前記クラッド層内に、該クラッド層に圧縮応力をもたらす二次結晶相を成長させ、それによって、前記ガラスシートを圧縮強化された積層ガラス構造に強化する工程、
を有してなる方法。
【請求項２】
前記積層ガラスシートが、フュージョンドロー法の後であって、紫外線に曝露される前に、切断される、請求項１記載の方法。
【請求項３】
請求項１または２記載の圧縮強化された積層ガラス構造から形成されたガラス物品。
【請求項４】
積層物品において、
第１のガラスクラッド層と第２のガラスクラッド層との間に配置されたガラスコア層、
を備え、該ガラスコア層が、前記第１と第２のガラスクラッド層の組成と異なる組成を有し、該第１のガラスクラッド層および該第２のガラスクラッド層の少なくとも一方が、約７０．０モル％から約７７．０モル％のＳｉＯ2、約２．５モル％から約５．０モル％のＡｌ2Ｏ3、および約１２．０モル％から約１８．０モル％のＬｉ2Ｏを含む、積層物品。
【請求項５】
積層物品において、
第１のガラスクラッド層と第２のガラスクラッド層との間に配置されたガラスコア層、
を備え、該ガラスコア層が、前記第１と第２のガラスクラッド層の組成と異なる組成を有し、該第１のガラスクラッド層および該第２のガラスクラッド層の少なくとも一方が、ケイ酸リチウム結晶を含む、積層物品。
【請求項６】
前記ケイ酸リチウム結晶が、メタケイ酸リチウム（Ｌｉ2ＳｉＯ3）、二ケイ酸リチウム（Ｌｉ2Ｓｉ2Ｏ5）、またはそれらの組合せである、請求項５記載の積層物品。
【請求項７】
積層シートにおいて、
第１のガラスクラッド層と第２のガラスクラッド層との間に配置されたガラスコア層、
を備え、該ガラスコア層が、前記第１と第２のガラスクラッド層の組成と異なる組成を有し、該第１のガラスクラッド層および該第２のガラスクラッド層の少なくとも一方が、ベータスポジュメンを含む、積層シート。
【請求項８】
ＬＣＤディスプレイとＬＥＤディスプレイ、コンピュータモニタ、現金自動預入支払機（ＡＴＭ）を含む家庭用または商業用の電子機器におけるカバーガラスまたはガラスバックプレーン用途、携帯電話、パーソナル・メディア・プレーヤー、およびタブレット型コンピュータを含む携帯用電子機器のタッチスクリーンまたはタッチセンサ用途、太陽光発電用途、建築用ガラス用途、自動車または車両用ガラス用途、もしくは商業用または家庭電化製品用途への請求項１または２記載の圧縮強化された積層ガラス構造または請求項３から６いずれか１項記載の物品または請求項７記載のシートの使用。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
飲料又は流動食の商業用のボトル詰め向けに設計されたボトルを、ストッパ（１、１０、１００、２００、３００、４１０）及び封止要素（４、４４０）を備えるシステムを用いて封止する方法であって、
前記ストッパ（１、１０、１００、２００、３００、４１０）は、
前記ボトルの口の中へ導入されるストッパ部（２、４１２）と、前記口の外側に残るヘッド部（３、４１３）と、を備え、前記ヘッド部（３、４１３）は、前記ストッパ部（２、４１２）の直径より大きい直径を有し、
前記ストッパ部（２、４１２）は、前記ボトルとは別個の前記封止要素（４、４４０）の相手側連動機構に係合する連動機構を備え、
前記封止要素（４、４４０）は、前記口の内壁に押し付けられ、それによって、前記ストッパ部（２、４１２）を前記口の中へ導入する際に封止位置へ動かされるように構成され、前記封止位置では、前記ストッパは摩擦接続によって前記ボトル上に保持され、
前記連動機構は、前記ボトルに対して前記ストッパを回転させることを含む開封動作によって、前記封止要素を開封位置へ動かすことを可能にするように構成され、
前記方法は、
前記ストッパ（１、１０、１００、２００、３００、４１０）の前記ストッパ部（２、４１２）を前記封止要素（４、４４０）内に導入することによって前記システムを組み立てる工程と、
前記封止位置に到達するまで前記システム（１、１０、１００、２００、３００、４１０）を前記ボトルの口内に導入する工程と、を含む、方法。
【請求項２】
前記ストッパ（１、１０、１００、２００、３００、４１０）の前記連動機構は１つ又は複数のねじ山を備え、
前記１つ又は複数のねじ山は、見切り線を収容するために１つ又は複数の平らな表面によって長手方向に途切れる、請求項１に記載の方法。
【請求項３】
前記封止部材（４、４４０）が、前記開封位置に動かされた後に、前記ストッパが前記口から引き抜かれたときに前記ストッパの前記ストッパ部（２、４１２）上に保持されるように、前記ストッパ（１、１０、１００、２００、３００、４１０）の前記ストッパ部（２、４１２）が構成される、請求項１又は２に記載の方法。
【請求項４】
前記ストッパの前記ヘッド部上には空胴が形成され、
前記空胴は、頂部から見たときに方形の断面を有する、請求項１〜３のいずれか１項に記載の方法。
【請求項５】
前記封止要素（４、４４０）は、前記口内に前記ストッパ部（２、４１２）を導入する際に前記口の内壁に押圧されるように適合された封止部（４２、４２２）を備え、
前記封止位置で前記口の前記内壁に押圧され、前記封止要素（４、４４０）が前記封止位置に動かされるときに前記封止部（４２、４２２）と前記口の前記内壁との間の１つ又は複数の領域内に負圧又は吸引力を蓄積するように適合された要素が、前記封止部（４２、４２２）の外側に形成され、
前記封止部（４２、４２２）の外側に形成された前記要素は、隣接するリブの形状を有する、請求項１〜４のいずれか１項に記載の方法。
【請求項６】
飲料又は流動食の商業用のボトル詰め向けに設計されたボトルを封止するシステムであって、前記システムは、ストッパ（１、１０、１００、２００、３００、４１０）及び封止要素（４、４４０）を備え、
前記ストッパ（１、１０、１００、２００、３００、４１０）は、
前記ボトルの口の中へ導入されるストッパ部（２、４１２）と、前記口の外側に残るヘッド部（３、４１３）と、を備え、前記ヘッド部（３、４１３）は、前記ストッパ部（２、４１２）の直径より大きい直径を有し、
前記ストッパ部（２、４１２）は、前記ボトルとは別個の前記封止要素（４、４４０）の相手側連動機構に係合する連動機構を備え、
前記封止要素（４、４４０）は、前記口の内壁に押し付けられ、それによって、前記ストッパ部（２、４１２）を前記口の中へ導入するときに封止位置へ動かされるように構成され、前記封止位置では、前記ストッパは、摩擦接続によって前記ボトル上に保持され、
前記連動機構は、前記ボトルに対して前記ストッパを回転させることを含む開封動作によって、前記封止要素を開封位置へ動かすことを可能にするように構成され、
前記システムは、前記ストッパ（１、１０、１００、２００、３００、４１０）の前記ストッパ部（２、４１２）を前記封止要素（４、４４０）内に導入することによって組み立てられるように、及び、前記封止位置に到達するまで前記ボトルの口内に導入されるように設計される、システム。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
ディスペンサ（１０）であって、
ハウジング（１２）と、
前記ハウジング（１２）内に配置され、表面（２２ａ）を有する基板（２２）と、
前記ハウジング（１２）内に配置され、揮発性活性物質を含むリザーバ（１４）と、
前記リザーバ（１４）に動作可能に接続されたアクチベータ（１６）と、を有し、
前記アクチベータ（１６）が作動すると、前記ディスペンサ（１０）から第１の発散速度（２４）を有する第１の量の揮発性活性物質と、前記ディスペンサ（１０）から第２の発散速度（２６）を有する第２の量の揮発性活性物質を生成するために、前記揮発性活性物質が前記リザーバ（１４）から前記表面上へと放出されるディスペンサ（１０）。
【請求項２】
前記ハウジング（１２）が、プラスチック、ＰＥＴ不織布基材、金属、ガラス、製造された材料、天然材料、リサイクル材料、再生材料、木材、石、紙、岩石、又はそれらの組み合わせを含む、請求項１のディスペンサ（１０）。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
中心線（218）と、中心部部品（232）を受け入れるように構成された中心部カットアウト（212）と、前記中心部カットアウトにおける幅（230）を有する胴体（12）と、
それぞれ主翼付根（214）と、スパンと、ほぼ全スパンにわたる翼型を有し、互いにほぼ鏡像である一対の主翼（16）を備え、
前記胴体と前記主翼は、第1の構成（2A）または第2の構成（2B）のうち、選択された一方で組み合わされるように構成され、
前記第1の構成では、前記中心部カットアウトに挿入され前記胴体に結合された中心部部品（232）をさらに備え、前記両主翼付根が胴体側面結合によって前記中心部部品の両側に接続され、
前記第2の構成では、前記両主翼が前記胴体に接続され、さらに前記中心部カットアウトにおいて中心線結合で互いに接続されているとともに、前記各主翼の翼型の一部分が前記胴体の内部に位置する、航空機構造。
【請求項２】
前記主翼が、前記付根において第1の翼型サイズ（304）を、前記一部分の前記付根から遠い方の端部において第2の翼型サイズ（308）を有し、第1の一対の胴体・主翼フェアリング（302）または第2の一対の胴体・主翼フェアリング（306）のうち、選択された一対をさらに備え、
前記第1の一対のフェアリングが、前記第1の構成で使用される前記第1の翼型サイズに対応するように構成され、
前記第2の一対のフェアリングが、前記第2の構成で使用される前記第2の翼型サイズに対応するように構成され、
前記選択されたフェアリングのそれぞれが前記胴体および前記主翼の両方に接続されている、請求項1に記載の航空機構造。
【請求項３】
前記各主翼が、前記構成のうちの一方で使用される、前記主翼付根から第1の所定距離（402または404）の位置にある第1のエンジンマウントと、前記構成のうちの他方で使用される、前記主翼付根から第2の別の所定距離の位置にある第2のエンジンマウントを備える、請求項1または2に記載の航空機構造。
【請求項４】
前記各主翼がフラップ（210または220）を有しており、前記一方の構成では、前記フラップが第1の所定長さを有し、前記他方の構成では、前記フラップが第2の別の所定長さを有する、請求項1から3のいずれか一項に記載の航空機構造。
【請求項５】
前記各主翼がフラップ（210または220）を有しており、前記第1の構成では、前記フラップ（210）が第1の所定長さを有し、前記第2の構成では、前記フラップ（220）が第2の別の所定長さを有するとともに、前記主翼が第3の所定長さのスペーサー（222）を有し、前記第1の所定長さが前記第2および第3の所定長さの合計とほぼ同じである、請求項1から4のいずれか一項に記載の航空機構造。
【請求項６】
中心線（218）と、中心部部品（232）を受け入れるように構成された中心部カットアウト（212）と、前記中心部カットアウトにおける幅（230）を有する胴体（12）を提供するステップと、
それぞれ付根（214）と、スパンと、ほぼ全スパンにわたる翼型を有し、互いにほぼ鏡像である一対の主翼（16）を提供するステップと、
前記中心部部品（232）を前記中心部カットアウトに挿入して前記胴体に結合し、前記主翼付根を胴体側面結合で前記中心部部品に取り付けることによって、第1の航空機構造を提供するステップ（a）または前記主翼を前記中心部カットアウトに挿入し、前記主翼同士を中心線結合で互いに接続し、前記主翼を前記胴体に接続することによって、前記各主翼の翼型の一部分（16A）が前記胴体の内部に位置する第2の航空機構造を提供するステップ（b）のどちらか一方を備える、航空機構造を提供する方法。
【請求項７】
第1の一対の胴体・主翼フェアリング（302）または第2の一対の胴体・主翼フェアリング（306）のうち、選択された一対を提供するステップをさらに備え、
前記第1の一対のフェアリングが、第1の構成（2A）で使用される第1の翼型サイズ（304）に対応するように構成され、
前記第2の一対のフェアリングが、第2の構成（2B）で使用される第2の翼型サイズ（308）に対応するように構成され、
前記選択されたフェアリングのそれぞれを前記胴体および前記主翼の両方に接続するステップをさらに備える、請求項6に記載の航空機構造を提供する方法。
【請求項８】
前記各主翼に、前記構成のうちの一方（2Aまたは2B）で使用される、前記主翼付根から第1の所定距離（402または404）の位置にある第1のエンジンマウントと、前記構成のうちの他方で使用される、前記主翼付根から第2の別の所定距離の位置にある第2のエンジンマウントを設けるステップをさらに備える、請求項6または7に記載の航空機構造を提供する方法。
【請求項９】
前記一対の主翼を提供するステップが、前記各主翼にフラップ（210または220）を設けるステップをさらに備え、前記第1の構成（2A）では、前記フラップ（210）が第1の所定長さを有し、前記第2の構成（2B）では、前記フラップ（220）が第2の別の所定長さを有するとともに、前記各主翼に、第3の所定長さを有するスペーサー（222）を設けるステップをさらに備え、前記第1の所定長さが前記第2および第3の所定長さの合計とほぼ同じである、請求項7または8に記載の航空機構造を提供する方法。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
モータ・ビークル用の適応型ブレーキ・システムであって、
被アシスト・ブレーキ・システムと、
コントローラとを備えており、
前記コントローラは、１つまたはそれ以上の走行条件パラメータに応じて、且つ、ブレーキをかける前に、提供するブレーキ・アシストを自動的に決定するように構成されており、
前記ブレーキ・アシストは、検知したブレーキ・ペダル適用パラメータから、適用するブレーキ作動パラメータを求める関数によって定義されており、
前記走行条件パラメータ、または、前記走行条件パラメータのうち少なくとも１つは、環境条件パラメータを含むことを特徴とする適応型ブレーキ・システム。
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
心血管疾患の治療に使用するための、配列番号１または配列番号２のアミノ酸配列から選択される少なくとも６個の連続するアミノ酸を含むペプチドおよび機能保存的変異体。
【請求項２】
心血管疾患の治療に使用するための、配列番号３、配列番号４、配列番号５、配列番号６、配列番号７、配列番号８、配列番号９、配列番号１０、配列番号１１、および配列番号１２からなる群より選択される６個の連続するアミノ酸配列含む、請求項１に記載のペプチド。
【請求項３】
前記心血管疾患が心筋梗塞である、請求項１または２に記載の使用するためのペプチド。
【請求項４】
前記心血管疾患がアテローム性動脈硬化症（ａｒｔｈｅｒｏｓｃｌｅｒｏｓｉｓ）である、請求項１または２に記載の使用するためのペプチド。
【請求項５】
配列番号２のアミノ酸配列から選択される少なくとも６個の連続するアミノを含むペプチドおよび機能保存的変異体。
【請求項６】
配列番号１０、配列番号１１、および配列番号１２からなる群より選択される６個の連続するアミノ酸配列を含む、請求項５に記載のペプチド。
【請求項７】
配列番号８または配列番号９に示されるアミノ酸配列を含む、請求項５に記載のペプチド。
【請求項８】
配列番号８、配列番号９、配列番号１０、配列番号１１または配列番号１２に示されるアミノ酸配列からなる、請求項５に記載のペプチド。
【請求項９】
請求項５〜８のいずれか１項に記載のペプチドをコードする、単離核酸配列。
【請求項１０】
請求項９に記載の核酸配列を含む、発現ベクター。
【請求項１１】
請求項１０に記載の発現ベクターを含む、宿主細胞。
【請求項１２】
治療有効量の請求項５〜８のいずれか１項に記載の少なくとも１つのペプチド、請求項９に記載の核酸、請求項１０に記載の発現ベクター、または請求項１１に記載の宿主細胞を、少なくとも１つの薬学的に許容される添加剤とともに含む、医薬組成物。